(57)【要約】【課題】ワイヤハーネスの配索経路に沿って存在するバリやエッジに干渉する場合に、結束用テープ製保護部が導線群に対して十分に保護することができ、しかも大きく湾曲するように配索する場合であっても、結束用テープ製保護部が導線群を大きく露出してしまう恐れが無いワイヤハーネスを提供すること。【解決手段】導線群２と、導線群２を被覆する結束用テープ製保護部３と、を備え、結束用テープ製保護部３が、長手方向に直交する断面形状が４つの三角波形状に成形された合成樹脂製のテープ材本体５と、テープ材本体５の片面に形成された粘着剤層６と、を有してなる結束用テープ材４により、導線群２をオーバーラップ巻きにして形成されている。【選択図】図３
2016152651.tif 000002
【特許請求の範囲】
【請求項１】
導線群と、前記導線群を被覆する結束用テープ製保護部と、を備え、
前記結束用テープ製保護部が、長手方向に直交する断面形状が２つ以上の三角波形状に成形された合成樹脂製のテープ材本体と、前記テープ材本体の片面に形成された粘着剤層と、を有してなる結束用テープ材により、前記導線群をオーバーラップ巻きにして形成されていることを特徴とするワイヤハーネス。
【請求項２】
前記粘着剤層が、前記テープ材本体の内面側の全幅に形成されていることを特徴とする請求項１に記載のワイヤハーネス。
【請求項３】
前記テープ材本体の前記粘着剤層と反対側の幅方向中央部で区分され、かつ前記オーバーラップ巻きにおいて上側に重なる前記テープ材本体の半部に隠れる一傾斜面に、前記テープ材本体と色の相違を視認できる色で着色が設けられていることを特徴とする請求項１または２に記載のワイヤハーネス。
【請求項４】
前記テープ材本体の前記断面形状である三角波形状を形成している山が、急傾斜角度で短い傾斜面と、緩傾斜角度で長い傾斜面とで形成され、前記急傾斜角度で短い傾斜面がオーバーラップ巻き進行方向後方側に位置することを特徴とする請求項１ないし３のいずれか１項に記載のワイヤハーネス。
【発明の詳細な説明】
【技術分野】
【０００１】
本発明は、結束用テープ材により導線群を保護するワイヤハーネスに関する。
【背景技術】
【０００２】
図５（ａ）に示すように、従来、この種のワイヤハーネス２０にあっては、平帯状の塩化ビニル製のテープ本体と、テープ本体の内面に設けられた粘着層とからなる結束用テープ材２１を用いて、導線群２２にハーフラップ巻きに結束用テープ製保護部２３を形成して導線群２２を保護していた。
【０００３】
さらに、図６に示すワイヤハーネス３０にあっては、エンボス加工により形成される凹凸部３１を有するテープ本体と、テープ本体の内面側に設けられた両面粘着テープとからなる結束用テープ材３２の使用が提案されている（特許文献１参照）。ワイヤハーネス３０の配索経路に沿ってバリやエッジが存在するとき、結束用テープ材３２より形成されたクッション性を有する結束用テープ製保護部３３がバリやエッジと干渉する場合に導線群３５の保護を高めることができた。
【先行技術文献】
【特許文献】
【０００４】
【特許文献１】特開２００８−１２０４１５号公報
【発明の概要】
【発明が解決しようとする課題】
【０００５】
しかしながら、特許文献１に開示されたワイヤハーネス３０にあっては、凹凸部３１を有することによりハーフラップ部の粘着強度が小さいので、結束用テープ製保護部３３を大きく湾曲するように配索する使用条件のワイヤハーネスとして適していない。すなわち、ワイヤハーネス３０を大きく湾曲するように配索すると、結束用テープ製保護部３３の構成している結束用テープ材３２のハーフラップ巻きの粘着面が引き剥がれ、該引き剥がれた箇所で上下に重なっていた結束用テープ材３２の半部同士が互いに反対方向にずれて隙間を空けてしまい、この隙間から導線群３４が大きく露出してしまうという問題があった。
【０００６】
さらに、上述した図５（ａ）に示したワイヤハーネス２０にあっては、平帯状の結束用テープ材２１を用いているので、図６に示す特許文献１に開示されたワイヤハーネス３０に比べて、ハーフラップ部の粘着強度を比較的大きく確保できる。しかしながら、この場合でも、図５（ｂ）に示すように、大きく湾曲するように配索すると、結束用テープ製保護部２３の構成している結束用テープ材２２のハーフラップ巻きの半部同士の粘着面が引き剥がれ、隙間２４を空けてしまい、導線群２２を大きく露出してしまうという問題があった。
【０００７】
本発明は、上述のような課題を解決するためになされたもので、ワイヤハーネスの配索経路に沿って存在するバリやエッジに干渉する場合に、結束用テープ製保護部が導線群に対して十分に保護することができ、しかも大きく湾曲するように配索する場合であっても、結束用テープ製保護部が導線群を大きく露出してしまう恐れが無いワイヤハーネスを提供することを目的とする。
【課題を解決するための手段】
【０００８】
本発明に係るワイヤハーネスは、上記目的達成のため、導線群と、前記導線群を被覆する結束用テープ製保護部と、を備え、前記結束用テープ製保護部が、長手方向に直交する断面形状が２つ以上の三角波形状に成形された合成樹脂製のテープ材本体と、前記テープ材本体の片面に形成された粘着剤層と、を有してなる結束用テープ材により、前記導線群をオーバーラップ巻きにして形成され、前記粘着剤層が、少なくとも、前記オーバーラップ巻きにおいて上側に重なる前記テープ材本体の半部の内面側に形成されている構成である。
【０００９】
この構成により、本発明に係るワイヤハーネスによれば、結束用テープ製保護部が大きく湾曲するように配索される場合、結束用テープ材の三角波形状にはばね性があり、結束用テープ製保護部に長手方向に沿って生起する引張力と圧縮力に応じて、結束用テープ材の三角波形状の山の高さを変化しテープ幅を大きい方向に変化させ、オーバーラップ巻きの重なり部の粘着剤層に沿ったせん断力を大幅に低減する。
【００１０】
このため、本発明に係るワイヤハーネスによれば、結束用テープ製保護部が大きく湾曲するように配索される場合、結束用テープ製保護部の湾曲平面における外周側で、結束用テープ製保護部の湾曲によって生ずるひずみを結束用テープ材の三角波形状の山の高さを低くして吸収するから、オーバーラップ巻きの重なり部の粘着が剥がれて導線群が露出してしまう恐れを回避することができる。
【００１１】
また、本発明に係るワイヤハーネスは、結束用テープ製保護部が大きな厚みを有し、クッション性を有するので、配索に際し、配索経路に沿って存在するバリやエッジに干渉する場合に、結束用テープ製保護部が導線群に対する保護機能を有する。
【００１２】
本発明に係るワイヤハーネスは、前記粘着剤層が、前記テープ材本体の内面側の全幅に形成されているのが良い。
【００１３】
この構成により、本発明に係るワイヤハーネスによれば、下側のテープ材本体に対し半部が上側に重なるテープ材本体の残りの半部に対応する粘着剤層が導線群に粘着するので、導線群と結束用テープ製保護部とのずれが少なく、導線群の要保護部が結束用テープ製保護部で良好に保護される。
【００１４】
本発明に係るワイヤハーネスは、前記テープ材本体の前記粘着剤層と反対側の幅方向中央部で区分され、かつ前記オーバーラップ巻きにおいて上側に重なる前記テープ材本体の半部に隠れる一傾斜面に、前記テープ材本体と色の相違を視認できる色で着色が設けられた構成とするのが良い。
【００１５】
この構成により、本発明に係るワイヤハーネスによれば、ハーフラップ巻き作業を従来に比べて確実・高速に行うことができる。
【００１６】
本発明に係るワイヤハーネスは、前記テープ材本体の前記断面形状である三角波形状が、前記オーバーラップ巻きにおいて下側に重なる方向側の傾斜面が上側に重なる方向側の傾斜面よりも傾斜角が大きく形成されている構成とするのが良い。
【００１７】
この構成によれば、三角波形状が下側に重なる方向側で急角度になっているから、オーバーラップ巻き作業において、テープ材本体の持ち方、巻付方向を判別することができ、三角波形状が高くてオーバーラップ巻きの作業効率が高まる。
【発明の効果】
【００１８】
本発明によれば、ワイヤハーネスの配索経路に沿って存在するバリやエッジに干渉する場合に、結束用テープ製保護部が導線群に対して十分に保護することができ、しかも大きく湾曲するように配索する場合であっても、結束用テープ製保護部が導線群を大きく露出してしまう恐れが無いワイヤハーネスを提供することができる。
【図面の簡単な説明】
【００１９】
【図１】本発明の一実施の形態に係るワイヤハーネスを示す正面図である。
【図２】本発明の一実施の形態に係る結束用テープ材を示すものであって、図２（ａ）は結束用テープ材の正面図であり、図２（ｂ）は図２（ａ）におけるＩＩｂ−ＩＩｂ矢視図である。
【図３】本発明の一実施の形態に係るワイヤハーネスの製造方法を示す工程図である。
【図４】本発明の一実施の形態に係るワイヤハーネスの製造方法を示す他の工程図である。
【図５】従来のワイヤハーネスに係り、図５（ａ）は真っ直ぐに配索する状態を示す正面図であり、図５（ｂ）は湾曲させて配索する状態に隙間が生じてしまうところを示す正面図である。
【図６】他の従来例に係るワイヤハーネスを示す正面図である。
【発明を実施するための形態】
【００２０】
本発明に係る一実施の形態について図面を参照して説明する。
【００２１】
まず、ワイヤハーネス１の構成を説明する。
【００２２】
図１に示すように、本実施の形態に係るワイヤハーネス１は、導線群２と、導線群２を被覆する結束用テープ製保護部３と、を有する。本実施の形態に係るワイヤハーネス１は、車両に配索されるワイヤハーネスとして適する。
【００２３】
導線群２は、ここでは複数の被覆電線の束を示しているが、複数の被覆電線と１本の裸電線を含む束あってもよい。さらに、導線群２は、シールド電線であってもよい。
【００２４】
図２（ａ），（ｂ）に示す結束用テープ材４は、長手方向に直交する断面形状が４つの三角波形状に成形されており、導線群２をハーフラップ巻きすることで、図１に示すように２条の三角ねじに類似する結束用テープ製保護部３を構成している。結束用テープ材４は、長手方向に直交する断面形状が４つの三角波形状に成形された合成樹脂製のテープ材本体５と、テープ材本体５の片面に形成された粘着剤層６と、を有してなる。
【００２５】
テープ材本体５は、ポリプロピレン、ナイロン、ポリエチレン、ポリイミド、アミドイミド、エステルイミド、エポキシ、ウレタンより選択される樹脂を用いて成形される。
【００２６】
テープ材本体５は、例えば、樹脂押出部に４つの三角波形状の押出開口部を有する押出成形機で押出成形することにより、長手方向に直交する断面形状が４つの三角波形状となるように成形され、一定寸法に切断される。
【００２７】
テープ材本体５は、例えば、肉厚が０．２〜０．５ｍｍ、幅が１９〜４０ｍｍ、長さが０．４〜１ｍとされるが、使い勝手、迅速性、被覆長さなどを考慮して適宜に決定される。
【００２８】
テープ材本体５の長手方向に直交する断面形状である４つの三角波形状は、急傾斜角度で短い傾斜面７と、緩傾斜角度で長い傾斜面８とで、テープ材本体５の三角の山が形成され、鋸刃状に４つの山が連続していて、急傾斜角度で短い傾斜面７がハーフラップ巻き進行方向後方側に位置する。テープ材本体５は、長手方向に直交する断面形状が４つの三角波形状であるので、面方向の外圧に対してクッション性を有し、かつ幅方向に引張力が加わると、山の高さを低くし、頂角と面幅を大きくするように変化し、また幅方向に圧縮力が加わると、山の高さを高くし、頂角と面幅を小さくするように変化し、引張力・圧縮力が消失すると復元するばね性を有する。山の頂角を８０〜１００°位に設定すると、クッション性およびばね性が大きくなる。
【００２９】
特に、急傾斜角度で短い傾斜面７と、緩傾斜角度で長い傾斜面８とで、テープ材本体５の三角の山が形成されていると、小さい面積で山の高さを大きく設定することができて、材料の節約につながる。
【００３０】
粘着剤層６は、テープ材本体５の片面（内面側）の全幅に形成されており、導線群２に巻き付ける前は、粘着剤層６に離型紙が貼着されている。粘着剤の種類について、特に限定されない。粘着剤層６は、両面粘着テープをテープ材本体５に貼着した構成であってもよい。
【００３１】
テープ材本体５は、導線群２に巻き付ける前は、粘着剤層６に離型紙が貼着された構成である場合には、離型紙を剥がしながら、導線群２に巻き付ける。
【００３２】
図２（ｂ）に示すように、結束用テープ材４は、長手方向に直交する断面形状である４つの三角波形状のうち、２つの山の、急傾斜角度で短い各傾斜面７に、テープ材本体５と色の相違を視認できる色、例えば白色の着色９が設けられている。結束用テープ材４の白色の着色９が設けられた２つの山を有する半部は、ハーフラップ巻きにおいて、下側に重なる半部である。２つの山の急傾斜角度の傾斜面７に着色９を設けると、テープ材本体５の半部に対する認識が高まる。２つの着色９のうち、幅方向中央寄りの着色９は、ハーフラップ巻きを行う境界としての目印になる。
【００３３】
次に、上述した構成のワイヤハーネス１の製作方法について簡単に説明する。
【００３４】
図３、図４に示すように、導線群２と、結束用テープ材４を用意し、導線群２に対して結束用テープ材４を矢印Ｘの方向にハーフラップ巻き（螺旋巻き）にして導線群２を被覆する結束用テープ製保護部３を形成し、結束用テープ製保護部３の巻き終わり端を、図１に示すように、別の粘着テープ１０で導線群２に巻き落としにすることで、ワイヤハーネス１の製作が完了する。
【００３５】
図３において、符号４ａ、４ｂ、４ｃは、導線群２に対してハーフラップ巻きされた結束用テープ材４の１巻目、２巻目、３巻目を示している。ハーフラップ巻きの作業は、結束用テープ材４を導線群２に対して通常は右巻きに巻いていくが、右巻きまたは左巻のいずれの場合であっても、２つの着色９があるテープ半部を巻き進み方向前側に来るように巻いていく。
【００３６】
結束用テープ材４のハーフラップ部は、１巻目の下側に重なるテープ半部の２つの山がガイドになって、２巻目の上側に重なるテープ半部の２つの山が重なって巻かれ、かつ２巻目の上側に重なるテープ半部に存する粘着剤層６が、１巻目の下側に重なるテープ半部の２つの山の重なることで粘着し、このようにして、連続してハーフラップ巻き（螺旋巻き）される。図４に示すように、１巻目露出部、２巻目露出部、３巻目露出部は、それぞれ２山が露出し、これらは２条の螺旋状である。
【００３７】
粘着剤層６は、テープ材本体５の片面の全幅に設けられており、該粘着剤層６のハーフラップにおけるテープ半部同士の粘着に関与しない残りの半部は、導線群２に山形となって対面し、点接触または線接触の粘着となるので、結束用テープ材４と導線群２との粘着固定を行うが、せん断力が作用すると、粘着を容易に解離する。したがって、ワイヤハーネス１が曲げられると、結束用テープ材４と導線群２とが容易に位置ずれを起こすように粘着している。
【００３８】
続いて、上述した構成のワイヤハーネス１の作用効果について説明する。
【００３９】
本実施の形態に係るワイヤハーネス１によれば、結束用テープ製保護部３が大きく湾曲するように配索される場合、結束用テープ材の三角波形状にはばね性があり、結束用テープ製保護部３の湾曲平面における外周側に生起する引張力で、該外周側の結束用テープ材４の三角波形状の山の高さが低くなるように結束用テープ材４が延びて、ハーフラップ巻きの重なり部へ作用する引張力を弱めるので、ハーフラップ巻きの重なり部の粘着が剥がれる恐れがない。
【００４０】
また、結束用テープ製保護部３の湾曲平面における内周側に生起する圧縮力で、該内周側の結束用テープ材４の三角波形状の山の高さが高くなるように結束用テープ材４が縮んで、ハーフラップ巻きの重なり部の粘着剤層６にせん断作用する圧縮力を弱めるので、結束用テープ材４の半部同士の重なり面の粘着が剥がれる恐れがない。
【００４１】
すなわち、本実施の形態に係るワイヤハーネス１は、結束用テープ製保護部３の湾曲平面における外周側と内周側とで、結束用テープ製保護部３の湾曲によって生ずるひずみを結束用テープ材４の三角波形状の山の高さの変化として吸収する。
【００４２】
本実施の形態に係るワイヤハーネス１は、結束用テープ材４の三角波形状により、結束用テープ製保護部３の外面と導線群２との間に距離を保たれるとともに、結束用テープ製保護部３がクッション性、ばね性を有するので、ワイヤハーネスの配索経路に沿って存在するバリやエッジに干渉する場合に、結束用テープ製保護部が導線群に対して十分に保護することができ、しかも大きく湾曲するように配索する場合であっても、結束用テープ製保護部が導線群を大きく露出してしまう恐れが無い。
【００４３】
本実施の形態に係るワイヤハーネス１は、粘着剤層６が、テープ材本体５の内面側の全幅に形成されているので、導線群２と結束用テープ製保護部３との位置ずれが生じない。
【００４４】
本実施の形態に係るワイヤハーネス１は、急傾斜角度で短い傾斜面７と、緩傾斜角度で長い傾斜面８とで、テープ材本体５の三角の山が形成され、急傾斜角度で短い傾斜面７がハーフラップ巻き進行方向後方側に位置するので、ハーフラップ巻き作業において、上側に重なるテープ材本体５の半部が下側に重なるテープ材本体５の半部に良好に引っ掛かり、きっちりと重ねていくことができ、ハーフラップ巻きの作業効率が高まる。
【００４５】
本実施の形態に係るワイヤハーネス１は、急傾斜角度で短い各傾斜面７に着色９を有するので、着色が隠れるように視認しつつ、上側に重なるテープ材本体５の半部を下側に重なるテープ材本体５の半部に重ねるように螺巻していくことができ、断面形状が山形に形成されていることと相まって、ハーフラップ巻き作業を従来に比べて確実・高速に行うことができる。
【００４６】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００４７】
上記の実施の形態では、テープ材本体に４つの三角波形状を形成し、ハーフラップ巻きにする例を示したが、１／４オーバーラップ巻きや３／４オーバーラップ巻きとしてもよい。さらに、本発明は、三角波形状が２つ以上あればよい。
【００４８】
本発明は、テープ材本体に関し、傾斜方向が半体となって山を形成している２つの傾斜面の傾斜方向の寸法が同一である場合や、山の頂角が８０〜１００°の範囲外にある場合も、技術的範囲に包含するものである。
【００４９】
上記の実施の形態では、押出成形によりテープ材本体の４つの三角波形状を成形することについて述べたが、他の方法で成形してもよい。具体的には、平帯状のテープ材本体の片面に両面テープを貼着し、さらに両面テープに離型紙を貼着してなる積層材をホットプレス成形してもよい。
【００５０】
上記の実施の形態では、テープ材本体の片面の全幅に粘着剤層を形成した例を示したが、粘着剤層は、少なくとも、ハーフラップ巻きにおいて上側に重なるテープ材本体の半部の重なり面に形成されている場合も、技術的範囲に包含するものである。この場合には、結束用テープ製保護部と導線群とが粘着剤層によって粘着されないので、結束用テープ製保護部の端部を、別の粘着テープで導線群に巻き落とすことにより、結束用テープ製保護部と導線群とを固定する。ワイヤハーネスを大きく湾曲しても、結束用テープ製保護部が隙間を生じることが無く、導線群を大きく露出してしまう恐れが無い。
【００５１】
以上説明したように、本発明によれば、ワイヤハーネスの配索経路に沿って存在するバリやエッジに干渉する場合に、結束用テープ製保護部が導線群に対して十分に保護することができ、しかも大きく湾曲するように配索する場合であっても、結束用テープ製保護部が導線群を大きく露出してしまう恐れが無いという効果を有し、車両に配索されるワイヤハーネス全般に有用である。
【符号の説明】
【００５２】
１  ワイヤハーネス
２  導線群
３  結束用テープ製保護部
４  結束用テープ材
５  テープ材本体
６  粘着剤層
７  急傾斜角度で短い傾斜面
８  緩傾斜角度で長い傾斜面
９  着色
【図１】
2016152651.tif 000003
【図２】
2016152651.tif 000004
【図３】
2016152651.tif 000005
【図４】
2016152651.tif 000006
【図５】
2016152651.tif 000007
【図６】
2016152651.tif 000008